【手続補正書】
【提出日】令和1年12月27日(2019.12.27)
【手続補正１】
【補正対象書類名】明細書
【補正対象項目名】０００１
【補正方法】変更
【補正の内容】
【０００１】
ユーザから受け付けた時刻情報を用いて、付加情報を表示する地図上の位置を容易に決定することが可能な情報処理装置、その制御方法、及びプログラム、並びに、情報処理システム、その制御方法、及びプログラムに関する。
【手続補正２】
【補正対象書類名】明細書
【補正対象項目名】０００７
【補正方法】変更
【補正の内容】
【０００７】
そこで本発明は、ユーザから受け付けた時刻情報を用いて、付加情報を表示する地図上の位置を容易に決定することが可能な仕組みを提供することを目的とする。
【手続補正３】
【補正対象書類名】明細書
【補正対象項目名】０００８
【補正方法】変更
【補正の内容】
【０００８】
上記の目的を達成するために、本発明のプログラムは、位置情報を取得することが可能な情報処理装置で実行可能なプログラムであって、前記情報処理装置を、前記位置情報を、当該位置情報が取得された取得時刻と対応付けて管理する管理手段と、ユーザから付加情報に対する時刻情報を受け付ける受付手段と、前記管理手段で管理される前記位置情報及び前記取得時刻と、前記受付手段で受け付けた時刻情報とを用いて、前記付加情報を表示する地図上の位置を決定する位置決定手段として機能させることを特徴とする。
また、本発明の情報処理装置は、位置情報を取得することが可能な情報処理装置であって、前記位置情報を、当該位置情報が取得された取得時刻と対応付けて管理する管理手段と、ユーザから付加情報に対する時刻情報を受け付ける受付手段と、前記管理手段で管理される前記位置情報及び前記取得時刻と、前記受付手段で受け付けた時刻情報とを用いて、前記付加情報を表示する地図上の位置を決定する位置決定手段と、を備えることを特徴とする。
また、本発明の情報処理装置の制御方法は、位置情報を取得することが可能な情報処理装置の制御方法であって、前記情報処理装置が、前記位置情報を、当該位置情報が取得された取得時刻と対応付けて管理する管理工程と、ユーザから付加情報に対する時刻情報を受け付ける受付工程と、前記管理工程で管理される前記位置情報及び前記取得時刻と、前記受付工程で受け付けた時刻情報とを用いて、前記付加情報を表示する地図上の位置を決定する位置決定工程と、を含むことを特徴とする。
また、本発明の情報処理システムは、位置情報を取得することが可能な情報処理システムであって、前記位置情報を、当該位置情報が取得された取得時刻と対応付けて管理する管理手段と、ユーザから付加情報に対する時刻情報を受け付ける受付手段と、前記管理手段で管理される前記位置情報及び前記取得時刻と、前記受付手段で受け付けた時刻情報とを用いて、前記付加情報を表示する地図上の位置を決定する位置決定手段と、を備えることを特徴とする。
また、本発明の情報処理システムの制御方法は、位置情報を取得することが可能な情報処理システムの制御方法であって、前記情報処理システムが、前記位置情報を、当該位置情報が取得された取得時刻と対応付けて管理する管理工程と、ユーザから付加情報に対する時刻情報を受け付ける受付工程と、前記管理工程で管理される前記位置情報及び前記取得時刻と、前記受付工程で受け付けた時刻情報とを用いて、前記付加情報を表示する地図上の位置を決定する位置決定工程と、を含むことを特徴とする。
また、本発明の情報処理システムで実行可能なプログラムは、位置情報を取得することが可能な情報処理システムで実行可能なプログラムであって、前記情報処理システムを、前記位置情報を、当該位置情報が取得された取得時刻と対応付けて管理する管理手段と、ユーザから付加情報に対する時刻情報を受け付ける受付手段と、前記管理手段で管理される前記位置情報及び前記取得時刻と、前記受付手段で受け付けた時刻情報とを用いて、前記付加情報を表示する地図上の位置を決定する位置決定手段として機能させることを特徴とする。
【手続補正４】
【補正対象書類名】明細書
【補正対象項目名】０００９
【補正方法】変更
【補正の内容】
【０００９】
本発明によれば、ユーザから受け付けた時刻情報を用いて、付加情報を表示する地図上の位置を容易に決定することが可能な仕組みを提供することが可能となる。
【手続補正５】
【補正対象書類名】特許請求の範囲
【補正対象項目名】全文
【補正方法】変更
【補正の内容】
【特許請求の範囲】
【請求項１】
位置情報を取得することが可能な情報処理装置で実行可能なプログラムであって、
前記情報処理装置を、
前記位置情報を、当該位置情報が取得された取得時刻と対応付けて管理する管理手段と、
ユーザから付加情報に対する時刻情報を受け付ける受付手段と、
前記管理手段で管理される前記位置情報及び前記取得時刻と、前記受付手段で受け付けた時刻情報とを用いて、前記付加情報を表示する地図上の位置を決定する位置決定手段として機能させるためのプログラム。
【請求項２】
前記付加情報は、当該付加情報に対応する時刻情報が設定されていない情報であって、
前記受付手段は、当該時刻情報が設定されていない付加情報に対して、ユーザから入力される任意の時刻情報を受け付けるよう機能させるための請求項１に記載のプログラム。
【請求項３】
前記位置決定手段は、前記受付手段で受け付けた時刻情報に対応する時刻が前記管理手段で管理されていない場合には、前記受付手段で受け付けた前記時刻情報の前後に対応する、前記管理手段で管理される２つの取得時刻を特定し、当該２つの取得時刻に対応して管理される位置情報に基づいて前記時刻情報に対応する位置情報を決定するよう機能させるための請求項１または２に記載のプログラム。
【請求項４】
前記受付手段は、前記管理手段で管理される取得時刻のうち、最初に取得された取得時刻が初期値として設定された入力画面を介してユーザから時刻情報の入力を受け付けるよう機能させるための請求項１乃至３のいずれか１項に記載のプログラム。
【請求項５】
前記受付手段は、前記管理手段で管理される取得時刻のうち前記位置情報を最初に取得した取得開始時刻と前記位置情報を最後に取得した取得終了時刻との間で、前記付加情報の時刻情報をユーザから受け付け可能に制御するよう機能させるための請求項１乃至４のいずれか１項に記載のプログラム。
【請求項６】
前記情報処理装置を、
前記管理手段で管理される前記位置情報と前記取得時刻とを用いて、前記地図上に経路図を生成する生成手段としても機能させるための請求項１乃至５のいずれか１項に記載のプログラム。
【請求項７】
前記情報処理装置を、
前記位置決定手段で決定された前記地図上の位置に前記付加情報を表示させるよう制御する表示制手段として機能させるための請求項１乃至６のいずれか１項に記載のプログラム。
【請求項８】
位置情報を取得することが可能な情報処理装置であって、
前記位置情報を、当該位置情報が取得された取得時刻と対応付けて管理する管理手段と、
ユーザから付加情報に対する時刻情報を受け付ける受付手段と、
前記管理手段で管理される前記位置情報及び前記取得時刻と、前記受付手段で受け付けた時刻情報とを用いて、前記付加情報を表示する地図上の位置を決定する位置決定手段と、
を備えることを特徴とする情報処理装置。
【請求項９】
位置情報を取得することが可能な情報処理装置の制御方法であって、
前記情報処理装置が、
前記位置情報を、当該位置情報が取得された取得時刻と対応付けて管理する管理工程と、
ユーザから付加情報に対する時刻情報を受け付ける受付工程と、
前記管理工程で管理される前記位置情報及び前記取得時刻と、前記受付工程で受け付けた時刻情報とを用いて、前記付加情報を表示する地図上の位置を決定する位置決定工程と、
を含むことを特徴とする情報処理装置の制御方法。
【請求項１０】
位置情報を取得することが可能な情報処理システムであって、
前記位置情報を、当該位置情報が取得された取得時刻と対応付けて管理する管理手段と、
ユーザから付加情報に対する時刻情報を受け付ける受付手段と、
前記管理手段で管理される前記位置情報及び前記取得時刻と、前記受付手段で受け付けた時刻情報とを用いて、前記付加情報を表示する地図上の位置を決定する位置決定手段と、
を備えることを特徴とする情報処理システム。
【請求項１１】
位置情報を取得することが可能な情報処理システムの制御方法であって、
前記情報処理システムが、
前記位置情報を、当該位置情報が取得された取得時刻と対応付けて管理する管理工程と、
ユーザから付加情報に対する時刻情報を受け付ける受付工程と、
前記管理工程で管理される前記位置情報及び前記取得時刻と、前記受付工程で受け付けた時刻情報とを用いて、前記付加情報を表示する地図上の位置を決定する位置決定工程と、
を含むことを特徴とする情報処理システムの制御方法。
【請求項１２】
位置情報を取得することが可能な情報処理システムで実行可能なプログラムであって、
前記情報処理システムを、
前記位置情報を、当該位置情報が取得された取得時刻と対応付けて管理する管理手段と、
ユーザから付加情報に対する時刻情報を受け付ける受付手段と、
前記管理手段で管理される前記位置情報及び前記取得時刻と、前記受付手段で受け付けた時刻情報とを用いて、前記付加情報を表示する地図上の位置を決定する位置決定手段として機能させるためのプログラム。